(57)【要約】【課題】皮脂汚れに隠れた洗い場床の表面に電解水を接触させやすい浴室を提供すること。【解決手段】表面が撥油性である洗い場床と、前記洗い場床へ向かって除菌作用を有する電解水を吐出可能な電解水吐出装置と、を備えた浴室であって、前記撥油性は、該洗い場床を大気中の常温下で水平に保持し、オレイン酸からなる１μＬの油滴を該表面に存在させた場合の該油滴の接触角である油接触角が４０°以上であって、前記電解水吐出装置における電解水の水平方向に対する下方への吐出角度は０°以上で且つ４０°以下である。【選択図】図５
2019092840.tif 000002
【特許請求の範囲】
【請求項１】
表面が撥油性である洗い場床と、前記洗い場床へ向かって除菌作用を有する電解水を吐出可能な電解水吐出装置と、を備えた浴室であって、
前記撥油性は、該洗い場床を大気中の常温下で水平に保持し、オレイン酸からなる１μＬの油滴を該表面に存在させた場合の該油滴の接触角である油接触角が４０°以上であって、
前記電解水吐出装置における電解水の水平方向に対する下方への吐出角度は０°以上で且つ４０°以下であることを特徴とする浴室。
【請求項２】
前記洗い場床の表面は傾斜しており、
前記電解水吐出装置は、電解水を、傾斜した前記洗い場床の表面において下方から入り込むように、前記洗い場床の表面に対して０°以上で且つ４０°以下の着水角度で着水するよう吐出させることを特徴とする請求項１記載の浴室。
【請求項３】
使用者が操作することによって電解水を吐出させる操作部をさらに備え、
前記操作部が操作された際には、
まず電解水でない水道水を、前記洗い場床の表面において下方から入り込むように、水平方向に対する下方への吐出角度０°以上で且つ４０°以下で吐出させた後、
電解水を、前記洗い場床の表面において下方から入り込むように、水平方向に対する下方への吐出角度０°以上で且つ４０°以下で吐出させることを特徴とする請求項２記載の浴室。
【請求項４】
前記操作部が操作された際には、
まず電解水でない水道水を、前記洗い場床の表面において下方から入り込むように、水平方向に対する下方への吐出角度０°以上で且つ４０°以下で吐出させた後、
所定時間経過するまで電解水および水道水を吐出させず、
前記所定時間経過した後、電解水を、前記洗い場床の表面において下方から入り込むように、水平方向に対する下方への吐出角度０°以上で且つ４０°以下で吐出させることを特徴とする請求項３記載の浴室。
【発明の詳細な説明】
【技術分野】
【０００１】
本発明は、浴室に関する。
【背景技術】
【０００２】
浴室の洗い場床に向かって除菌水を吐出させる除菌水吐出装置が知られている（特許文献１）。このような除菌水吐出装置において、吐出させる除菌水として、例えば、流れてきた水（水道水）を電気分解することで生成する次亜塩素酸水などの電解水を利用することも知られている。このような電解水を除菌水として利用することで、例えば洗剤などを利用する場合と比べ、洗剤などを蓄えるカートリッジ等の用意・交換が不要であり、非常に使い勝手が良い。
【０００３】
一方で、例えば次亜塩素酸水などの電解水を除菌水として利用した場合、電解水は菌に接触すると殺菌するとともに水に戻ってしまう性質がある。したがって、洗い場床の表面を除菌するためには、洗い場床の表面に直接電解水を着水させることが肝要である。
【先行技術文献】
【特許文献】
【０００４】
【特許文献１】特開２００９−１７８４７０号公報
【特許文献２】特許第５３７１３３７号公報
【発明の概要】
【発明が解決しようとする課題】
【０００５】
しかしながら、洗い場床には、浴室の使用者の身体から洗い落とされた皮脂汚れなどが表面に付着してしまっていることが多い。皮脂汚れが付着している洗い場床の表面は、皮脂汚れに覆われているため、吐出された電解水が直接着水できない。このことから、使用者が例えばスポンジやブラシなどで浴室を洗浄して皮脂汚れを取り除いた際に、皮脂汚れを養分として繁殖した菌が原因で、皮脂汚れを取り除いた洗い場床の表面に黒ずみ等が発生してしまっているという課題がある。すなわち、せっかく電解水を洗い場床に向かって吐出させても、依然、洗い場床の表面の一部には黒ずみが発生してしまう可能性が残っている。
【０００６】
本発明は、皮脂汚れに隠れた洗い場床の表面に電解水を接触させやすい浴室を提供することを目的とする。
【課題を解決するための手段】
【０００７】
第１の発明の浴室は、表面が撥油性である洗い場床と、前記洗い場床へ向かって除菌作用を有する電解水を吐出可能な電解水吐出装置と、を備えた浴室であって、前記撥油性は、該洗い場床を大気中の常温下で水平に保持し、オレイン酸からなる１μＬの油滴を該表面に存在させた場合の該油滴の接触角である油接触角が４０°以上であって、前記電解水吐出装置における電解水の水平方向に対する下方への吐出角度は０°以上で且つ４０°以下であることを特徴としている。  
第１の発明によれば、洗い場床の表面は撥油性であるため、洗い場床の表面と皮脂汚れとが強く固着しがたい。このような洗い場床の表面へ向かって電解水を斜めから吐出することで、皮脂汚れを洗い場床の表面に対して浮かせやすくさせつつ、斜めから吐出された電解水が、浮きやすくなった皮脂汚れと洗い場床の表面との間に入り込みやすくなる。  
したがって、洗い場床の表面において皮脂汚れに隠れた部分に電解水を接触させやすくなり、結果として洗い場床の表面をしっかりと除菌することができる。  
皮脂汚れと洗い場床の表面との間に入り込んだ電解水は、洗い場床の表面に対して除菌の作用をした後、水に戻り、皮脂汚れはそのまま水とともに排水口へと排出されやすくなる。このため、せっかく除菌された洗い場床の表面に再度皮脂汚れが接触しにくくできるという、当業者も予期せぬ効果も生まれた。  
また、電解水吐出装置は、洗い場床の油接触角よりも鋭い（小さい）吐出角度（０°以上で且つ４０°以下）で電解水を吐出させることができる。このように斜めから鋭く吐出された電解水は、浮きやすくなった皮脂汚れと洗い場床の表面との間に、より入り込みやすくなる。  
第２の発明は、第１の発明において、前記洗い場床の表面は傾斜しており、前記電解水吐出装置は、電解水を、傾斜した前記洗い場床の表面において下方から入り込むように、前記洗い場床の表面に対して０°以上で且つ４０°以下の着水角度で着水するよう吐出させることを特徴とする。  
第２の発明によれば、傾斜した洗い場床の表面に付着した皮脂汚れは、重力にしたがって傾斜方向に傾いた状態になりやすくなる。このような状態で、電解水は、傾斜した洗い場床の表面において下方から入り込むように、洗い場床の表面に対して、０°以上で且つ４０°以下の着水角度で着水するよう吐出させる。このことにより、より効果的に、電解水を皮脂汚れと洗い場床の表面との間に入り込ませることができる。  
第３の発明は、第２の発明において、使用者が操作することによって電解水を吐出させる操作部をさらに備え、前記操作部が操作された際には、まず電解水でない水道水を、前記洗い場床の表面において下方から入り込むように、水平方向に対する下方への吐出角度０°以上で且つ４０°以下で吐出させた後、電解水を、前記洗い場床の表面において下方から入り込むように、水平方向に対する下方への吐出角度０°以上で且つ４０°以下で吐出させることを特徴とする。  
第３の発明によれば、皮脂汚れを洗い場床の表面から引き離す作用を水道水にさせ、皮脂汚れと洗い場床の表面との間に入り込ませて洗い場床の表面を除菌させる作用を電解水にさせることができる。したがって、皮脂汚れを洗い場床の表面から引き離すために不要に電解水が皮脂汚れに接触してしまうことを抑制でき、より効果的に電解水を洗い場床の表面に対して作用させることができる。  
第４の発明は、第３の発明において、前記操作部が操作された際には、まず電解水でない水道水を、前記洗い場床の表面において下方から入り込むように、水平方向に対する下方への吐出角度０°以上で且つ４０°以下で吐出させた後、所定時間経過するまで電解水および水道水を吐出させず、前記所定時間経過した後、電解水を、前記洗い場床の表面において下方から入り込むように、水平方向に対する下方への吐出角度０°以上で且つ４０°以下で吐出させることを特徴とする。  
第４の発明によれば、水道水を洗い場床へ着水させた直後に電解水を洗い場床へ吐出させてしまうと、せっかくの電解水の除菌成分の濃度が、残っている水道水で薄まってしまう。そこで、水道水を洗い場床に吐出させた後、所定時間が経過するまで電解水および水道水を吐出させず、その所定時間経過した後、電解水を洗い場床へ向かって吐出させることで、より効果的に電解水を洗い場床の表面に対して作用させることができる。
【発明の効果】
【０００８】
本発明の浴室によれば、皮脂汚れに隠れた洗い場床の表面に電解水を接触させやすい浴室が提供される。
【図面の簡単な説明】
【０００９】
【図１】実施形態に係る浴室洗浄装置の全体構成を示すシステムブロック図。
【図２】実施形態に係る浴室の模式斜視図。
【図３】（ａ）は実施形態に係る電解水吐出装置の斜視図であり、（ｂ）は実施形態に係る洗い場床の模式断面図。
【図４】実施形態における吐出された電解水の着水までの軌跡を模式的に示す側面図。
【図５】実施形態における洗い場床の除菌洗浄作用を示す模式図。
【図６】実施形態における洗い場床の除菌洗浄作用を示す模式図。
【図７】実施形態における洗い場床の除菌洗浄作用を示す模式図。
【図８】（ａ）は実施形態における電解水の吐水タイムチャートであり、（ｂ）は実施形態における水道水および電解水の吐水タイムチャート。
【発明を実施するための形態】
【００１０】
以下、添付図面を参照しながら本発明の実施の形態について説明する。説明の理解を容易にするため、各図面において同一の構成要素に対しては可能な限り同一の符号を付して、重複する説明は省略する。
【００１１】
図１は、実施形態に係る浴室洗浄装置１の全体構成を示すシステムブロック図である。
【００１２】
浴室洗浄装置１は、電源３０と、制御装置４０と、操作部３５と、電解水吐出装置１００とを備えている。電解水吐出装置１００は浴室のカウンターに設置される。
【００１３】
図２（ａ）は、実施形態に係る浴室５００の模式斜視図である。  
図２（ｂ）は、浴室５００におけるカウンター５３０の近傍を拡大した模式斜視図である。
【００１４】
図２（ａ）に示すように、浴室５００は、４つの壁５４１〜５４４と天井５４５に囲まれている。その浴室５００内に、浴槽５１０、洗い場床５２０、およびカウンター５３０が設けられている。さらに、浴室５００には、鏡、水栓装置、ハンドシャワーなどが適宜設けられている。
【００１５】
浴槽５１０の一対の短辺側に、第１の壁５４１と第２の壁５４２が互いに対向して設けられている。浴槽５１０の一方の長辺側に第４の壁５４４が設けられている。その第４の壁５４４に対向して、洗い場床５２０側に第３の壁５４３が設けられている。
【００１６】
洗い場床５２０には排水口５２１が設けられている。図２（ａ）に示す例では、排水口５２１は、洗い場床５２０における浴槽５１０側の縁部近傍であって、洗い場床５２０の長手方向の略中央に位置している。
【００１７】
洗い場床５２０の表面（床面）には、第１の壁５４１側の縁部、第２の壁５４２側の縁部、および第３の壁５４３側の縁部から、排水口５２１へと向かう緩やかな下り傾斜（排水勾配）が設けられている。
【００１８】
カウンター５３０は、例えば第２の壁５４２に取り付けられている。カウンター５３０は、洗い場床５２０の表面から上方に離間して設置されている。カウンター５３０は、上方から見たときに、洗い場床５２０の短辺方向に沿った長辺をもつ略矩形状の形状を有する。
【００１９】
図２（ｂ）に示すように、カウンター５３０は、天板５３１と、天板５３１の下方を覆うカバー５３２とを有する。図１に示す電解水吐出装置１００は、一部の要素（止水栓５０、吐水部１０）を除いて、天板５３１とカバー５３２で囲まれたカウンター５３０の内部に収容されている。
【００２０】
吐水部（ノズル部）１０は、図２（ｂ）に示すように、カウンター５３０の下方に突出するように設けられている。吐水部１０は、洗い場床５２０の表面から離間している。また、吐水部１０は、カウンター５３０の横幅方向（短手方向）における中央付近に設置されている。すなわち、吐水部１０は、洗い場床５２０の長手方向の一端側であって且つ短辺方向の中央付近に設置されている。この位置での後述する吐水部１０の回転動作により、水道水および電解水を洗い場床５２０の略全体に吐水しやすくなる。
【００２１】
図１に示す止水栓５０は水道水が供給される給水管と接続される。その止水栓５０は、ストレーナ５１と接続されている。ストレーナ５１の下流側は定流量弁５２に接続され、その定流量弁５２の下流側は２つの配管６１、６２に分岐している。
【００２２】
一方の配管６１には電磁弁５３が設けられ、その電磁弁５３の下流側は吐水部１０の第１の吐水口１１につながっている。また、例えば寒冷地などでは、電磁弁５３と吐水部１０との間に必要に応じて水抜弁５４が接続される。
【００２３】
他方の配管６２には、上流側から順に、ストレーナ５５、電磁弁５６、調圧弁５７、逆止弁５９、電解水生成部２０、ストレーナ６５、および吐水部１０の第２の吐水口１２が接続されている。また、調圧弁５７と逆止弁５９との間に安全弁５８が接続されている。
【００２４】
また、電解水吐出装置１００は、吐水部１０を回転（旋回）動作させるモーター（例えばステッピングモーター）６６を有する。このモーター６６も、カウンター５３０の内部に収容されている。
【００２５】
制御装置４０は、電磁弁５３、電磁弁５６、電解水生成部２０、およびモーター６６の動作を制御する。電源３０はそれらに電力を供給する。また、電源３０は操作部３５に電力を供給する。電源３０は、図２（ａ）に示すように例えば浴室５００の天井５４５の裏に設置される。制御装置４０は、カウンター５３０の内部、または浴室５００の天井５４５の裏に設置される。
【００２６】
電磁弁５３は制御装置４０の制御によって開閉される。電磁弁５３が開くと、水道水が第１の吐水口１１から吐水される。電磁弁５３が閉じると、第１の吐水口１１から水道水は吐水されない。
【００２７】
電磁弁５６は制御装置４０の制御によって開閉される。電磁弁５６が開くと、水道水が電解水生成部２０に供給され、その電解水生成部２０で生成された電解水が第２の吐水口１２から吐水される。電磁弁５６が閉じると、第２の吐水口１２から電解水は吐水されない。
【００２８】
調圧弁５７による水道水の圧力制御により、電解水生成部２０に供給される水道水の流量が調整される。電解水生成部２０に供給される水道水の流量調整により、第２の吐水口１２から吐水される電解水の流量が調整される。
【００２９】
また、電磁弁５３、５６によって、その下流側に供給される水道水の流量を調整することができる。
【００３０】
電解水生成部２０は電解水を生成する。この電解水は除菌作用を有する除菌水である。電解水生成部２０は、例えば陽極と陰極とを有する電解槽である。それら陽極と陰極との間に電圧を印加して、陽極と陰極との間を流れる水道水を電気分解することで、水道水は電解水に変性する。水道水は塩化物イオンを含んでいるため、その塩化物イオンを電気分解することによって、次亜塩素酸が生成される。
【００３１】
次亜塩素酸は、菌を死滅させ、さらに菌の繁殖を抑える能力をもつ。したがって、電解水は、次亜塩素酸を含み、除菌作用を有する除菌水である。
【００３２】
図３（ａ）は、吐水部１０の斜視図である。
【００３３】
吐水部１０は、円筒状に形成され、その下部側面に第１の吐水口１１と第２の吐水口１２が設けられている。第１の吐水口１１および第２の吐水口１２は、それぞれ、縦長のスリット状に形成されている。
【００３４】
第１の吐水口１１と第２の吐水口１２は、円筒状の吐水部１０の周方向に並んで配置されている。または、第１の吐水口１１と第２の吐水口１２を高さ方向に並んで配置してもよい。
【００３５】
第１の吐水口１１からは、電解水でない水道水が洗い場床５２０に吐水される。第２の吐水口１２からは、前述した電解水（除菌水）が洗い場床５２０に吐水される。円筒状の吐水部１０内に水道水または電解水を一時的に貯留することができ、吐水圧力を上昇させることができる。
【００３６】
縦長の第１の吐水口１１から、縦方向（上下方向）に扇状に広がった水道水を吐水することができる。同じく縦長の第２の吐水口１２から、縦方向（上下方向）に扇状に広がった電解水を吐水することができる。
【００３７】
前述したモーター６６の駆動により、円筒状の吐水部１０をその中心軸（図３（ａ）において１点鎖線で示す）のまわりに回転させ、水道水や電解水が吐出される方向を変化させることができる。
【００３８】
図３（ｂ）は、洗い場床５２０の模式断面図である。
【００３９】
洗い場床５２０は、基材５２１と、基材５２１の表面に形成された塗膜５２２とを備えている。基材５２１は、ＦＲＰ（Fiber Reinforced Plastic）、ＰＰ（ポリプロピレン）等からなり得る。塗膜５２２は、マトリックスと、このマトリックス中に分散された親水性及び撥油性を有する機能材料とを有し得る。
【００４０】
マトリックスは水酸基と反応する塗料原料からなり、機能材料は水酸基含有フッ素化合物であることが好ましい。水酸基含有フッ素化合物の水酸基が親水性を呈し、フッ素が撥油性を呈する。すなわち、洗い場床５２０の表面には、撥油基８１と親水基８２がある。
【００４１】
洗い場床５２０の表面は、親水性であるとともに撥油性でもある。ここでの洗い場床５２０の表面の撥油性は、以下のように規定できる。
【００４２】
図５（ａ）に示すように、洗い場床５２０を大気中の常温下で水平に保持し、オレイン酸からなる１μＬの油滴３００をその表面に存在させた場合のその油滴３００の接触角である油接触角αが４０°以上である。
【００４３】
図４は、吐水部１０から吐出された電解水の着水までの軌跡を模式的に示す側面図である。
【００４４】
吐水部１０は、電解水を洗い場床５２０へ向かって斜めから吐出可能である。前述したように縦方向に扇状に広がって吐出される電解水は、水平方向に対する下方への吐出角度が０°以上で且つ４０°以下の吐出成分を含んでいる。
【００４５】
図４には、０°以上で且つ４０°以下の範囲内にある吐出角度としてθ１、θ２、θ３の吐出角度で吐出された３本の電解水の軌跡を例示する。水平方向（図４において破線に沿った方向）に吐出された電解水の吐出角度は０°となる。
【００４６】
電解水と同様に、吐水部１０は、電解水でない水道水を洗い場床５２０へ向かって斜めから吐出可能であり、縦方向に扇状に広がって吐出される水道水は、水平方向に対する下方への吐出角度が０°以上で且つ４０°以下の吐出成分を含んでいる。
【００４７】
図８（ａ）は、実施形態における電解水の吐水タイムチャートである。
【００４８】
使用者が図１、図２（ａ）に示す操作部３５を操作すると（操作部３５がＯＮになると）、操作部３５は制御装置４０へ電解水吐出の実行指令を送信する。制御装置４０は、操作部３５から電解水吐出の実行指令を受信した後、吐水部１０から電解水を時間Ｔ１の間吐出させるように制御を実行する。
【００４９】
実施形態によれば、洗い場床５２０の表面は撥油性であるため、洗い場床５２０の表面と皮脂汚れとが強く固着しがたい。このような洗い場床５２０の表面へ向かって電解水を斜めから吐出することで、皮脂汚れを洗い場床５２０の表面に対して浮かせやすくさせつつ、斜めから吐出された電解水が、浮きやすくなった皮脂汚れと洗い場床５２０の表面との間に入り込みやすくなる。
【００５０】
したがって、洗い場床５２０の表面において皮脂汚れに隠れた部分に電解水を接触させやすくなり、結果として洗い場床５２０の表面をしっかりと除菌することができる。
【００５１】
皮脂汚れと洗い場床５２０の表面との間に入り込んだ電解水は、洗い場床５２０の表面に対して除菌の作用をした後、水に戻り、皮脂汚れはそのまま水とともに排水口へと排出されやすくなる。このため、せっかく除菌された洗い場床５２０の表面に再度皮脂汚れが接触しにくくできるという、当業者も予期せぬ効果も生まれた。
【００５２】
また、吐水部１０は、洗い場床５２０の油接触角よりも鋭い（小さい）吐出角度（０°以上で且つ４０°以下）で電解水を吐出させることができる。このように斜めから鋭く吐出された電解水は、浮きやすくなった皮脂汚れと洗い場床５２０の表面との間に、より入り込みやすくなる。
【００５３】
洗い場床５２０の表面には排水勾配が形成されており、図５（ｂ）に示すように、洗い場床５２０の表面は傾斜している。傾斜した表面が撥油性である洗い場床５２０の表面に付着した皮脂汚れ２００は、重力にしたがって傾斜方向に傾いた状態になりやすくなる。
【００５４】
このような状態で、電解水は、傾斜した洗い場床５２０の表面において下方から入り込むように、洗い場床５２０の表面に対して、０°以上で且つ４０°以下の着水角度β（上記吐出角度と錯角の関係にある）で着水するよう吐出させる。このことにより、より効果的に、電解水を皮脂汚れ２００と洗い場床５２０の表面との間に入り込ませることができる。
【００５５】
図８（ｂ）は、実施形態における水道水および電解水の吐水タイムチャートである。
【００５６】
この例では、電解水を洗い場床５２０へ向かって斜めから吐出させる前に、電解水でない水道水を洗い場床５２０へ向かって斜めから吐出させる。
【００５７】
使用者が操作部３５を操作すると（操作部３５がＯＮになると）、まず電解水でない水道水を、図６（ａ）に示すように傾斜した洗い場床５２０の表面において下方から入り込むように、上記吐出角度０°以上で且つ４０°以下で吐出させる。操作部３５の操作後、まず時間ｔ１の間、水道水が吐水部１０から吐出される。
【００５８】
水道水の吐出終了後、時間ｔ２が経過した後、図６（ｂ）に示すように、電解水を、洗い場床５２０の表面において下方から入り込むように、上記吐出角度０°以上で且つ４０°以下で吐出させる。電解水は、時間ｔ３（＝ｔ１）の間吐出される。
【００５９】
このことにより、皮脂汚れ２００を洗い場床５２０の表面から引き離す作用を水道水にさせ、皮脂汚れ２００と洗い場床５２０の表面との間に入り込ませて洗い場床５２０の表面を除菌させる作用を電解水にさせることができる。したがって、皮脂汚れ２００を洗い場床５２０の表面から引き離すために不要に電解水が皮脂汚れ２００に接触してしまうことを抑制でき、より効果的に電解水を洗い場床５２０の表面に対して作用させることができる。
【００６０】
また、上記操作部３５が使用者によって操作され、まず電解水でない水道水を洗い場床５２０の表面において下方から入り込むように、吐出角度０°以上で且つ４０°以下で吐出させた後、所定時間ｔ２経過するまで電解水および水道水のどちらも吐出させない。そして、所定時間ｔ２経過した後、電解水を、洗い場床５２０の表面において下方から入り込むように、吐出角度０°以上で且つ４０°以下で吐出させる。
【００６１】
水道水を洗い場床５２０へ着水させた直後に電解水を洗い場床５２０へ吐出させてしまうと、せっかくの電解水の除菌成分の濃度が、残っている水道水で薄まってしまう。そこで、水道水を洗い場床５２０に吐出させた後、所定時間ｔ２（例えば、３０秒以上１分以下）が経過するまで電解水および水道水を吐出させず、その所定時間ｔ２経過した後、電解水を洗い場床５２０へ向かって吐出させることで、より効果的に電解水を洗い場床５２０の表面に対して作用させることができる。
【００６２】
また、電解水でない水道水は、洗い場床５２０だけでなく浴室を形成する浴室内壁にも吐出させる。皮脂汚れを洗い場床５２０の表面から引き離すための水道水を、洗い場床５２０の表面に対してだけでなく、浴室を形成する浴室内壁にもあえて吐出させる。
【００６３】
浴室内壁に吐出された水道水は、図７（ａ）に示すように、傾斜した洗い場床５２０の表面の下り勾配に沿って流れ、皮脂汚れ２００の両側から挟み込むように水道水を皮脂汚れ２００と洗い場床５２０の表面との間に入り込ませることができ、より効果的に皮脂汚れ２００を洗い場床の表面から引き離すことができる。
【００６４】
そして上記所定時間経過した後、図７（ｂ）に示すように、電解水を、洗い場床５２０の表面において下方から入り込むように、上記吐出角度０°以上で且つ４０°以下で吐出させ、皮脂汚れ２００と洗い場床５２０の表面との間に入り込ませる。
【００６５】
吐水部１０からの電解水や水道水の吐出流速が遅いと電解水や水道水は放物線を描いて着水し、皮脂汚れと洗い場床の表面との間に入り込みやすい着水角度が得られ難くなる。そこで、例えば、吐水部１０からの電解水の吐出流速を９（ｍ／ｓ）以上１１（ｍ／ｓ）以下、吐水部１０からの水道水の吐出流速を５．６（ｍ／ｓ）に設定すると、水平方向に対する下方への吐出角度０°以上で且つ４０°以下で電解水や水道水を吐出させ、電解水や水道水を皮脂汚れと洗い場床の表面との間に入り込みやすくできる。
【００６６】
また、電解水及び水道水はそれぞれ粒状に吐出される。例えば、電解水の粒径は８００（μｍ）であり、水道水の粒径は０．３（ｍｍ）以上３．５（ｍｍ）以下である。
【００６７】
以上、具体例を参照しつつ本発明の実施形態について説明した。しかし、本発明は、それらに限定されるものではなく、本発明の技術的思想に基づいて種々の変形が可能である。
【符号の説明】
【００６８】
１…浴室洗浄装置、１０…吐水部、２０…電解水生成部、３５…操作部、１００…電解水吐出装置、５２０…洗い場床
【図１】
2019092840.tif 000003
【図２】
2019092840.tif 000004
【図３】
2019092840.tif 000005
【図４】
2019092840.tif 000006
【図５】
2019092840.tif 000007
【図６】
2019092840.tif 000008
【図７】
2019092840.tif 000009
【図８】
2019092840.tif 000010